(57)【要約】【課題】例えば外部磁界の影響を受け易い環境下においても、磁気ディスク装置の製品としての信頼性を確保する。【解決手段】磁気ディスク装置１には、装置本体（ＨＤＤ）に加わる外部磁界を検出するための磁気センサ７と、磁気センサ７による検出結果から外部磁界が所定のしきい値を超えた否かを判定する磁界強度判定回路４８と、磁界強度判定回路４８の判定結果から、しきい値を超えた外部磁界の発生回数を計数するカウンタ４９とが設けられている。これにより、磁気ディスク装置１へ加わる外部磁界を検出し、しかもこの検出結果をＨＤＣ４３を通じてホストに通知（モニタ）できるので、磁気ディスク装置１が外部磁界を受けた場合等にこの影響で故障が近いか否を判断することができる。【選択図】　　　図３
2004095071.tif 000002
【特許請求の範囲】
【請求項１】
装置本体に加わる外部磁界を検出する磁気センサと、
前記磁気センサによる前記外部磁界の検出結果を記憶保持する記憶手段と、
前記記憶手段に記憶保持された前記外部磁界の前記検出結果を報知する報知手段と
を具備することを特徴とする磁気ディスク装置。
【請求項２】
前記報知手段が、前記磁気センサによる前記外部磁界の検出結果をホスト装置に通知する通知手段であることを特徴とする請求項１記載の磁気ディスク装置。
【請求項３】
前記磁気センサによる前記外部磁界の検出結果から所定のしきい値を超えた外部磁界の発生回数を計数し、前記記憶手段に記憶保持させる計数手段をさらに具備することを特徴とする請求項１又は２記載の磁気ディスク装置。
【請求項４】
前記磁気センサの検出結果における外部磁界の強さの最大値を取得して前記記憶手段に記憶保持させる最大値登録手段をさらに具備することを特徴とする請求項１ないし３のいずれか１項に記載の磁気ディスク装置。
【請求項５】
磁気ディスク上で情報のリード／ライトを行う磁気ヘッドと、
前記磁気ディスク及び前記磁気ヘッドが内蔵された装置本体に加わる外部磁界を検出する磁気センサと、
前記磁気センサによる前記外部磁界の検出結果から所定のしきい値を超えた外部磁界が検出された場合に、前記磁気ヘッドを前記磁気ディスク上から強制的に退避させる退避手段と
を具備することを特徴とする磁気ディスク装置。
【請求項６】
磁気ディスク装置に加わる外部磁界を検出する工程と、
前記検出された前記外部磁界の検出結果を記憶保持する工程と、
前記記憶保持された前記外部磁界の前記検出結果をホスト装置に通知する工程と
を有することを特徴とする磁気ディスク装置の故障予測方法。
【発明の詳細な説明】
【０００１】
【発明の属する技術分野】
本発明は、磁気ディスクに対して記録再生を行う磁気ディスク装置、及びその故障予測方法に関する。
【０００２】
【従来の技術】
コンピュータの例えば外部記憶装置として例えば磁気ディスク装置や光ディスク装置等を始めとするディスクドライブ装置が広く利用されている。近年、磁気ディスク装置では、高密度記録を可能とする磁気ヘッド及び磁気ディスク媒体の目覚ましい技術開発により、大容量の装置を比較的安価に入手できるようになってきている。
【０００３】
磁気ディスク装置は、このような大容量化に加え、本来、光ディスク装置等に比べてデータへのアクセスが速いため、今日では、例えば録画用としてテレビやビデオ等に内蔵されたり、また、例えば高音質で音楽を聴くこと等が可能な、いわゆるマルチメディアＰＣへ搭載される等といったオーディオ・ビジュアル的な用途でも利用されている。
【０００４】
【発明が解決しようとする課題】
しかしながら、このような磁気ディスク装置の用途の拡大は、その反面、製品の性能保証の面で新たな要求を生む結果となっている。すなわち、テレビやマルチメディアＰＣ等には、強力な磁石を構成部品として持つスピーカ等が搭載されており、磁気ディスク装置は、このような強力な磁界発生源の近くに置かれる場合でも、その製品の信頼性が確保されることを要求される。
【０００５】
言うまでもなく、データのリード／ライト中に意図しない大きな磁界が、磁気ディスク装置に対して加わった場合には、磁気ディスク上のデータが、ヘッドを通じて磁気的な影響を受け破壊されてしまうおそれがある。したがって、上述したように外部磁界の影響を受け易い環境での用途が増えた磁気ディスク装置に対し何らかの対策を講じる必要がある。
【０００６】
そこで、本発明は、上記課題を解決するためになされたもので、例えば外部磁界の影響を受け易い環境下等においても、その製品の信頼性を確保することができる磁気ディスク装置、及びその故障予測方法を提供するものである。
【０００７】
【課題を解決するための手段】
上記目的を達成するために、本発明に係る磁気ディスク装置は、装置本体に加わる外部磁界を検出する磁気センサと、前記磁気センサによる前記外部磁界の検出結果を記憶保持する記憶手段と、前記記憶手段に記憶保持された前記外部磁界の前記検出結果を報知する報知手段とを具備することを特徴とする。
【０００８】
この発明は、磁気ディスク装置へ加わる外部磁界を検出し、しかもこの検出結果をモニタできるので、磁気ディスク装置が、外部磁界を受けた影響で、磁気データが危険な状態にあるか否か、つまり磁気ディスク装置の故障が近いか否を判断することができる。したがって、この発明によれば、装置が故障する前に、他の記憶装置等に磁気データのバックアップをとることや、磁気ディスク装置本体をメンテナンスすること等が可能となり、これにより、実質的に製品の信頼性を確保することができる。
【０００９】
外部磁界の検出結果を報知する手段としては、この磁気ディスク装置を搭載するホスト装置にこの検出結果を通知すること等が例示される。
【００１０】
また、本発明に係る磁気ディスク装置は、前記磁気センサによる前記外部磁界の検出結果から所定のしきい値を超えた外部磁界の発生回数を計数し、前記記憶手段に記憶保持させる計数手段をさらに具備することを特徴とする。
さらに、本発明に係る磁気ディスク装置は、前記磁気センサの検出結果における外部磁界の強さの最大値を取得して前記記憶手段に記憶保持させる最大値登録手段をさらに具備することを特徴とする。
これらの発明によれば、磁気ディスク装置へ加わる外部磁界の影響を詳細に知ることができるので、磁気ディスク装置の故障の予測をより正確に行うことができる。
【００１１】
また、本発明に係る磁気ディスク装置は、磁気ディスク上で情報のリード／ライトを行う磁気ヘッドと、前記磁気ディスク及び前記磁気ヘッドが内蔵された装置本体に加わる外部磁界を検出する磁気センサと、前記磁気センサによる前記外部磁界の検出結果から所定のしきい値を超えた外部磁界が検出された場合に、前記磁気ヘッドを前記磁気ディスク上から強制的に退避させる退避手段とを具備することを特徴とする。
この発明によれば、磁気ヘッドにより収束される外部磁界の影響で、磁気ディスク上に記録された情報が、破壊されてしまうこと等を未然に回避することが可能である。
【００１２】
本発明の磁気ディスク装置の故障予測方法は、磁気ディスク装置に加わる外部磁界を検出する工程と、前記検出された前記外部磁界の検出結果を記憶保持する工程と、前記記憶保持された前記外部磁界の前記検出結果をホスト装置に通知する工程とを有することを特徴とする。
【００１３】
【発明の実施の形態】
以下、本発明の実施の形態を図面に基づき説明する。
（第１の実施形態）
図１は、本発明の実施形態に係る磁気ディスク装置を示す斜視図である。
同図に示すように、この磁気ディスク装置１は、ヘッドロード／アンロード方式を採るドライブ装置であって、上面の開口した矩形箱状のケース２と、複数のねじによりケースにねじ止めされケース２上面の開口を閉塞するトップカバー（図示せず）とを備えている。
【００１４】
ケース２内には、積層配置されるかたちで搭載された、磁気的に情報を記憶可能な例えば２枚の磁気ディスク３と、この磁気ディスク３を駆動する駆動力を発生するスピンドルモータ４と、磁気ディスク３に対しての情報の書き込み又は読み出しを行う磁気ヘッド５と、磁気ヘッド５を磁気ディスク３に対して移動自在に支持したヘッドアクチュエータ６と、ヘッドアクチュエータ６を回動及び位置決めするボイスコイルモータ８と、磁気ヘッド５が磁気ディスク３の最外周に移動した際、磁気ヘッド５を磁気ディスク３から離間した退避位置に保持するランプ９と、ヘッドＩＣ等を有する基板ユニット１０等とが収容されている。
【００１５】
また、ケース２の底壁外面には、基板ユニット１０を介してスピンドルモータ４、ボイスコイルモータ８、及び磁気ヘッド素子の制御を行うプリント回路基板（図示せず）がねじ止めされている。
【００１６】
ヘッドアクチュエータ６は、ケース２の底壁上に固定された軸受ユニット１２を備えている。軸受ユニット１２は、ケース２の底壁に対し垂直に立設されたベアリングシャフト１３と、ベアリングシャフト１３に一対の軸受を介して回転自在に支持された円筒形状のハブ１４とを備えている。また、ヘッドアクチュエータ６は、ハブ１４に取り付けられた複数のスペーサリングと、このスペーサリングを介在させるかたちで積層配置されるヘッドアッセンブリ１５とを備えている。
【００１７】
ボイスコイルモータ８は、ヘッドアクチュエータ６の支持枠１６に固定されたボイスコイル１７と、ボイスコイル１７を挟み込むようにケース２上に固定された一対のヨーク１８と、一方のヨーク１８に固定された磁石１９とを備えている。
【００１８】
ランプ９には、図２に示すように、装置本体の非作動時、磁気ヘッドスライダ５が磁気ディスク３の外周から外れて所定の退避位置に移動するまでの間、ヘッドアクチュエータ６先端の各サスペンション２０のタブ２１の移動を各々案内する案内部２２が設けられている。さらに、ランプ９には、磁気ヘッドスライダ５の退避位置として凹部２３を備えており、この凹部２３は、サスペンション２０のタブ２１と係合し、ヘッドアクチュエータ６をこの退避位置に保持する。
【００１９】
次に、磁気ディスク装置１の制御系について説明する。
図３に示すように、スピンドルモータ（以下、ＳＰＭと称する）４は、ＳＰＭドライバ３６から供給される制御電流（ＳＰＭ電流）により駆動される。ボイスコイルモータ（以下、ＶＣＭと称する）８は、ＶＣＭドライバ３７から供給される制御電流（ＶＣＭ電流）により駆動される。ＳＰＭドライバ３６からＳＰＭ４に、またＶＣＭドライバ３７からＶＣＭ８に、それぞれ供給される制御電流を決定するための値（制御量）は、ＣＰＵ４５により決定されて、Ｄ／Ａコンバータ３０、Ｄ／Ａコンバータ３１を介して供給される。
【００２０】
磁気ヘッド５は、目標トラック上にシーク・位置決めされた後、磁気ディスク３の回転動作に伴って、そのトラック上を走査する。また磁気ヘッド５は、その走査によりそのトラック上に等間隔を保って配置されたサーボエリアのサーボ情報を順に読み込む。また磁気ヘッド５は、その走査により目標データセクタに対するデータの読み書きを行う。
【００２１】
磁気ヘッド５は、フレキシブルプリント配線板に実装されたヘッドアンプ回路３９と接続されている。ヘッドアンプ回路３９は、（ＣＰＵ４５からの制御下で）磁気ヘッド５の切り替え、磁気ヘッド５との間でのリード／ライト信号の入出力等を司る。ヘッドアンプ回路３９は、磁気ヘッド５で読み取られたアナログ出力のリード信号を増幅すると共に、リード／ライトチャネル回路（以下、Ｒ／Ｗ回路と称する）４０から送られるライトデータに所定の信号処理を施してこれを磁気ヘッド５に送信する。
【００２２】
Ｒ／Ｗチャネル４０は、リード／ライト信号処理回路であり、ハードディスクコントローラ（ＨＤＣ）４３を通じてホスト側から転送されたユーザデータ（記録データ）を磁気記録信号に変調（符号化）する機能を有する。また、Ｒ／Ｗチャネル４０は、リードヘッドにより再生された磁気記録信号を、ユーザデータに復号化する機能を有する。
【００２３】
サーボ処理回路４１は、Ｒ／Ｗ回路４０から出力されるリードパルスより基準信号を検出してスタートビットを発生し、そのスタートビットを基準にサーボ情報を取得するための各種タイミング信号を生成する機能と、サーボ情報中のシリンダアドレスを抽出してＣＰＵ４５によるシーク制御に供する機能とを有している。
【００２４】
バッファメモリ４２は、ホスト（ホストシステム）から転送されて磁気ディスク３に書き込むべきライトデータ及び磁気ディスク３から読み出されてホストに転送されるリードデータを一時格納するのに用いられる。
【００２５】
ＨＤＣ４３は、ホストとの間のコマンド（ライトコマンド、リードコマンド等）、データの通信と、バッファ制御と、磁気ディスク１１との間のデータ転送制御等を司る。つまり、ＨＤＣ４３は、ホストからリード／ライト命令を発生した場合等に、ＣＰＵ４５に対し、磁気ヘッド５のロード／アンロード／シーク／オントラック等の動作指示命令を送出する。ＣＰＵ４５は、例えばロード／アンロードの命令を受け取った場合には、ＶＣＭ８を駆動制御して、磁気ヘッド５を磁気ディスク３上からランプ９の退避位置（凹部２３）に退避させるアンロード動作と、磁気ヘッド５を磁気ディスク３上まで移動させるロード動作とを実行する。
【００２６】
このようなＣＰＵ４５は、書き換え可能な不揮発性メモリであるフラッシュＲＯＭ（以下、ＦＲＯＭと称する）４６に格納された制御プログラムに従い、上記ロード／アンロード／シーク／オントラック等の制御含む磁気ディスク装置（ＨＤＤ）１全体の制御を行う。さらに、ＣＰＵ４５には、その作業領域等を提供するＲＡＭ４７が接続されている。
【００２７】
次に、本実施形態の磁気ディスク装置１に設けられた故障予測機能について詳述する。
すなわち、図１、図３及び図４に示すように、磁気ディスク装置１には、装置本体（ＨＤＤ）に加わる外部磁界を検出するための磁気センサ７と、磁気センサ７による検出結果から外部磁界が所定のしきい値を超えた否かを判定する磁界強度判定回路４８と、磁界強度判定回路４８の判定結果から、しきい値を超えた外部磁界の発生回数を計数するカウンタ４９とが設けられている。
【００２８】
磁気センサ７は、磁気ディスク３及び磁気ヘッド５の近傍に配置されたヘッドＩＣ等を有する基板ユニット１０に搭載されるかたちで設けられている。磁気センサ７は、多方向からの外部磁界を検出可能な例えば無指向性のホール素子である。しきい値は、磁気ヘッド５から磁気ディスク３へ増幅されて伝わる磁界の強さ等が考慮され、予め実験等により求められている。そして、このしきい値は、ＦＲＯＭ４６に格納されている。磁界強度判定回路４８は、例えばＨＤＣ２３に内蔵されている。
【００２９】
このような故障予測機能を備えた磁気ディスク装置１では、例えば図５に示すように、磁気センサ７によって検出された磁界において磁界強度判定回路４８により、しきい値（Ｒｅｆ値）を超える磁界が検出される度に（Ｓ１）、その回数をカウントして行き（Ｓ２）、ＨＤＣ２３が、ホストより、そのカウント値の通知要求を受けた場合に（Ｓ３）、応答信号としてカウント値をホストに通知する（Ｓ４）。
【００３０】
したがって、本実施形態によれば、磁気ディスク装置１へ加わる外部磁界を検出し、しかもこの検出結果をモニタ（ホストに通知）できるので、磁気ディスク装置が外部磁界を受けた場合にこの影響で、磁気データが危険な状態にあるか否か、つまり磁気ディスク装置の故障が近いか否を判断することができる。したがって、ホストを通じて他の記憶装置などに磁気データのバックアップをとることや、故障の前に装置本体をメンテナンスすること等が可能となり、これにより、実質的に製品の信頼性を確保することができる。
【００３１】
（第２の実施形態）
この実施形態の磁気ディスク装置は、図６に示すように、磁気ディスク装置１がに設けられていた磁界強度判定回路４８及びカウンタ回路４９に代えて、磁気センサ７の検出結果における外部磁界の強さの最大値を取得してＦＲＯＭ４６に記憶保持させる最大値登録回路５０をＨＤＣ４３内に備えている。
したがって、この実施形態の磁気ディスク装置によれば、磁気ディスク装置に加わる外部磁界の強さをアナログ値として得ることができるので、磁気ディスク装置の故障の予測をより正確に行うことができる。
【００３２】
（第３の実施形態）
この実施形態の磁気ディスク装置は、図７に示すように、第１の実施形態の磁気ディスク装置１に設けられていた磁界強度判定回路４８及びカウンタ回路４９に代えて、磁界強度判定回路５１及びヘッド退避回路４９をＨＤＣ４３内に備えて構成されている。
【００３３】
すなわち、この実施形態の磁気ディスク装置は、磁気センサ７による外部磁界の検出結果から所定のしきい値を超えた外部磁界が検出された場合に、磁気ヘッド５を磁気ディスク３上から強制的に例えばランプ９等の退避位置に退避させることができる。磁気ヘッド５により収束される外部磁界の影響で、磁気ディスク３上に記録された情報が、破壊されてしまうことを未然に回避することが可能である。
【００３４】
以上、本発明を実施の形態により具体的に説明したが、本発明は前記実施形態にのみ限定されるものではなく、その要旨を逸脱しない範囲で種々変更可能である。例えば、外部磁界の検出結果を記録する場所は、磁気ディスク３を使用してもよい。この場合、外部磁界が加わっていることが予想される期間では、ＲＡＭ４７にまず外部磁界の検出結果を記録する。続いて外部磁界が弱くなった時点で外部磁界の検出結果を磁気ディスク３上に書き込むようにしてもよい。
【００３５】
【発明の効果】
以上説明したように、本発明は、磁気ディスク装置へ加わる外部磁界を検出し、しかもこの検出結果をモニタできるので、磁気ディスク装置が外部磁界を受けた場合にこの影響で、磁気データが危険な状態にあるか否か、つまり磁気ディスク装置の故障が近いか否を判断することができる。したがって、本発明によれば、磁気ディスク装置が故障する前に、他の記憶装置等に磁気データのバックアップをとることや、磁気ディスク装置本体をメンテナンスすること等が可能となり、これにより、磁気ディスク装置の製品としての信頼性を実質的に確保することができる。
【図面の簡単な説明】
【図１】本発明の第１の実施形態に係る磁気ディスク装置を示す斜視図である。
【図２】図１の磁気ディスク装置が備えるランプを示す斜視図である。
【図３】図１の磁気ディスク装置の制御系を機能的に示すブロック図である。
【図４】図１の磁気ディスク装置に加わる外部磁界を検出するための構成を概略的に示すブロック図である。
【図５】図１の磁気ディスク装置の故障の予測工程を示すフローチャートである。
【図６】本発明の第２の実施形態に係る磁気ディスク装置に加わる外部磁界を検出するための構成を概略的に示すブロック図である。
【図７】本発明の第３の実施形態に係る磁気ディスク装置に加わる外部磁界を検出するための構成を概略的に示すブロック図である。
【符号の説明】
１…磁気ディスク装置、３…磁気ディスク、５…磁気ヘッド、６…ヘッドアクチュエータ、７…磁気センサ、８…ボイスコイルモータ（ＶＣＭ）、９…ランプ、４３…ハードディスクコントローラ（ＨＤＣ）、４５…ＣＰＵ、４６…フラッシュＲＯＭ（ＦＲＯＭ）、４８，５１…磁界強度判定回路、４９…カウンタ、５０…磁界最大値登録回路。
【図１】
2004095071.tif 000003
【図２】
2004095071.tif 000004
【図３】
2004095071.tif 000005
【図４】
2004095071.tif 000006
【図５】
2004095071.tif 000007
【図６】
2004095071.tif 000008
【図７】
2004095071.tif 000009